【事件の表示】
　特願２００３−　７７６８５「有機電界発光素子及びその製造方法」拒絶査定不服審判事件〔平成１６年　１月２９日出願公開、特開２００４−　３１３１７〕について、次のとおり審決する。
【結　論】
　本件審判の請求は、成り立たない。
【理　由】
　
第１　手続の経緯
　本願は、２００３年３月２０日（パリ条約による優先権主張２００２年３月２０日、大韓民国）の出願であって、平成１９年１月３１日付け拒絶理由通知に対して、同年８月６日付けで手続補正がされたが、同年１１月１６日付けで拒絶査定され、これに対して、平成２０年２月１９日に拒絶査定不服の審判が請求されるとともに、同年３月１８日に手続補正がなされたものである。
　
第２　平成２０年３月１８日付けの手続補正についての補正却下の決定
　
［補正却下の決定の結論］
　平成２０年３月１８日付けの手続補正（以下、「本件補正」という。）を却下する。
　
１．本件補正前及び本件補正後の本願発明
　本件補正は、特許請求の範囲についてするものであり、願書に最初に添付した明細書又は図面に記載された範囲内でなされたものである。
　
　そこで、特許請求の範囲の補正のうち、請求項１の補正（以下、「補正１」という。）について検討する。
　
補正１は、
「【特許請求の範囲】
【請求項１】
　赤、緑、青サブピクセルで構成されるピクセルが定義され、互いに接するように配置された第１基板及び第２基板において、
　前記第１基板上にサブピクセル単位で形成された複数個のスイッチング素子を含むアレー素子と、
　前記第２基板下部に配置され、青色光を赤、緑、青三原色に変換させる赤、緑、青の色変換層を有する色変換部と、
　前記色変換部下部に配置し、光透過性を有する導電性物質からなる第１電極と、
　前記第１電極下部に配置された、青色発光層を有する有機電界発光層と、
　前記有機電界発光層下部にサブピクセル単位でパターン化された第２電極と、
　前記スイッチング素子及び第２電極が対応する位置に形成され、前記スイッチング素子及び第２電極を電気的に連結させる電気的コネクタとを含み、
　前記色変換部は、前記青色発光層からの青色光を三原色に変換させる色変換層に加え、赤、緑及び青のカラーフィルタを含み、該カラーフィルタと該色変換層とがこの順に積層された積層構造を有することを特徴とする有機電界発光素子。
・・・
【請求項１２】
　前記色変換部と第１電極間の区間には平坦化層がさらに含まれることを特徴とする請求項１に記載の有機電界発光素子。」
を、
「【特許請求の範囲】
【請求項１】
　赤、緑、青サブピクセルで構成されるピクセルが定義され、互いに接するように配置された第１基板及び第２基板において、
　前記第１基板上にサブピクセル単位で形成された複数個のスイッチング素子を含むアレー素子と、
　前記第２基板下部に配置され、青色光を赤、緑、青三原色に変換させる赤、緑、青の色変換層を有する色変換部と、
　前記色変換部下部に配置し、光透過性を有する導電性物質からなる第１電極と、
　前記第１電極下部に配置された、青色発光層を有する有機電界発光層と、
　前記色変換部と前記第１電極との間に配置された平坦化層と、
　前記有機電界発光層下部にサブピクセル単位でパターン化された第２電極と、
　前記スイッチング素子及び第２電極が対応する位置に形成され、前記スイッチング素子及び第２電極を電気的に連結させる電気的コネクタとを含み、
　前記色変換部は、前記青色発光層からの青色光を三原色に変換させる色変換層に加え、赤、緑及び青のカラーフィルタを含み、該カラーフィルタと該色変換層とがこの順に積層された積層構造を有し、前記平坦化層が多層構造であることを特徴とする有機電界発光素子。」（以下、「本願補正発明」という。）
と補正するものである。
　
（１）補正内容
　
　前記補正１は、以下の内容からなる。
　
　本件補正前の請求項１を削除し、本件補正前の請求項１２を新たに請求項１とし、さらに、本件補正前の請求項１２の「平坦化層」の構造を「多層構造」に限定する補正。
　
（２）補正の適否
　
　上記補正１は、平成１８年法律第５５号改正附則第３条第１項によりなお従前の例によるとされる同法による改正前の特許法（以下、「平成１８年改正前特許法」という）第１７条の２第４項第１号の請求項の削除及び同条第４項第２号の特許請求の範囲の減縮を目的とするものに該当する。
　
　そこで、本願補正発明が、特許出願の際独立して特許を受けることができるものであるか（平成１８年改正前特許法第１７条の２第５項において準用する同法第１２６条第５項の規定に適合するか）について検討する、
　
２．引用例
　（以下、
下線
　
　原査定の拒絶の理由に引用された、本願の優先権主張日前に頒布された刊行物である特開平８−３１５９８１号公報（以下、「引用例１」という。）には、以下の技術事項が記載されている。
　
記載事項ア
「【発明の詳細な説明】
【０００１】
【産業上の利用分野】本発明は、電流の注入によって発光する有機化合物材料のエレクトロルミネッセンス（以下、ＥＬという）を利用して、かかる
有機ＥＬ材料の薄膜からなる発光層を備えた有機ＥＬ素子の複数をマトリクス状に配置した有機ＥＬディスプレイパネルに関する。
　
記載事項イ
「【００３２】図８（ｄ）の第２表示電極形成工程では、ＲＧＢ３種類の有機ＥＬ媒体を所定の個所に成膜した後、成膜用マスクを取り除き、ステップカバレッジのない方法（例えば蒸着等）で、金属蒸気を、基板と略垂直に真上から、３種類の有機ＥＬ媒体の各々の上に所定厚に被着させ、
第２表示電極の陰極９を形成する。
ＩＴＯ陽極３
【００３３】次に、他の実施例である有機ＥＬディスプレイパネル製造方法を説明する。・・・図９（ｂ）に示すように、上記同様に、この基板２に蒸着マスク３０を用いて、
ＲＧＢの有機ＥＬ媒体をそれぞれ蒸着する
・・・
【００３５】図９（ｂ）及び図８（ａ）〜（ｃ）の工程で３色の有機ＥＬ媒体ではなく１色分の有機ＥＬ媒体を全面に成膜すれば、単色のディスプレイができるのは明らかである。
また、この１色の色を白色にして、ＲＧＢのフィルターと組み合わせれば、フルカラーディスプレイにもなる。
　
記載事項ウ
「【００２３】次に、有機ＥＬディスプレイパネル製造工程を説明する。図４に示すように、パターニング工程により、
第１表示電極３としてＩＴＯ等からなる導電性透明膜
　
記載事項エ
「【００３７】・・・（実施例３）他に微細なピッチのディスプレイを実現するものとして、図１３に示すように
、第２表示電極に接続された非線形素子（たとえば薄膜トランジスタ（ＴＦＴ）、コンデンサなど）
フルカラーディスプレイ
この前面基板とは別に所定の画素数だけ第２表示電極と接続すべきＴＦＴなどの非線形素子１０１を作り込んである裏面用ガラス基板１０２を形成
非線形素子１０１が対応する第２表示電極９だけと電気的に導通するように異方導電性接着剤１０３にて張り合わせ
【００３８】この方法でディスプレイを作製する際は、
画素ひとつひとつに独立した陰極が有機ＥＬ媒体の上部に成膜されしかも他の画素の陰極とは絶縁されていなければならない。
Ｔ字型の隔壁を２次元マトリクス状に作製して解決
【００３９】図１４（ａ）に示すように、予め
第１表示電極３（ＩＴＯ陽極）
　
　ここで、上記記載事項イ、ウで開示されたフルカラーディスプレイの基本構成は、上記記載事項エのディスプレイ構造にも適用可能であること（すなわち、各画素の発光色を白色とし、当該白色光をＲＧＢのそれぞれのカラーフィルターを介して出射光を色変換することによって、フルカラー表示を実現する構成を、記載事項エの素子構造に適用すること）は、当業者にとっては、記載されたに等しい自明の範囲内の事項であると言える。
　
　また、上記記載事項イ〜エの記載内容と引用例１の図１３に記載された数字符号（符号３，９）から、第１表示電極３（ＩＴＯ陽極、ＩＴＯ膜３）は陽極電極であり、第２表示電極９（陰極９）は陰極電極である、と認められる。
　
　さらに、前記図１３の記載から、非線形素子１０１は、画素毎の第２表示電極に対向する形で複数並置されていることも明らかである。
　
　そして、各色（ＲＧＢ）の３画素をまとめて、フルカラー表示の単位と捉えることは、当業者にとって技術常識の事項である。
　
　以上、記載事項ア〜エ（及び引用例１の図１３）から、引用例１には、次の発明（以下、「引用発明」という。）が記載されていると認められる。
　
「赤、緑及び青の３画素を一つのフルカラー表示単位とし、
互いに張り合わされた前面ガラス基板２と裏面用ガラス基板１０２において、
　前記裏面用ガラス１０２に、画素ひとつひとつに独立した第２表示電極９に対応して作り込まれた、ＴＦＴ及びコンデンサなどからなる複数の非線形素子１０１が、データ信号ライン及び走査信号ラインと共に形成されてなり、
　白色光をＲＧＢに変換させるＲＧＢフィルターを有し、
　前記前面ガラス基板２上部に形成された導電性透光膜からなる第１表示電極３と、
　前記第１表示電極３上部に配置された白色の有機ＥＬ発光層８と、
　前記有機ＥＬ発光層８の上部に、画素単位で成膜された第２表示電極９と、
　前記非線形素子１０１及び第２表示電極９が対向する位置に配置され、前記非線形素子１０１及び第２表示電極９を電気的に導通する異方導電性接着剤１０３とを含み、前記ＲＧＢのフィルターと組み合わせた有機ＥＬディスプレイパネル。」
　
　次に、原査定の拒絶の理由に引用された、本願の優先権主張日前に頒布された刊行物である特開平１０−１０６７４７号（以下、「引用例２」という。）には、次の事項が記載されている。
　
記載事項オ
「【０００５】図１２は、色変換層を用いて３色を発光させる従来の有機ＥＬディスプレイを示す説明図である。・・・図１２において、図１１で用いた符号と同じ符号は同一の要素を示しており、その他に、１０２は色変換フィルタ、１０３は保護層、１０５は有機ＥＬ発光層、１０８はブラックマトリックス、１１０は赤色画素、１１１は緑色画素、１１２は青色画素を示しており、１１０、１１１および１１２によって色変換フィルタ１０２が構成されている。かかる従来の有機ＥＬディスプレイの構造および作製方法を簡単に説明する。・・・青色、緑色、赤色を表示するための色変換フィルタ１０２を顔料分散法、印刷法または写真製版法などにより形成する。また、
色変換フィルタ１０２は青色変換フィルタ１１２、緑色変換フィルタ１１１、赤色変換フィルタ１１０の３色がそれぞれ独立して構成される。
その色変換フィルタの凹凸を緩和するため透明の材料でつくられる保護層１０３
・・・
【０００９】前述の有機ＥＬ素子は、
フルカラー化のために、有機ＥＬ発光層を波長の短い青色に発光させて、青色はそのまま利用して表示し、より波長の長い緑色、赤色の表示には青色の光を変換して表示するような、エネルギー変換を用いて表示する方法
有機ＥＬ発光層を白色発光させて、赤色、緑色、青色のカラーフィルタを使って表示する方法
　
　以上の記載事項オには、
　
（１）有機ＥＬディスプレイのフルカラー化用色変換フィルタとして、波長の短い単色発光（例えば青色）を波長の短い発光色にエネルギー変換するものと、赤色、緑色、青色の３色カラーフィルタとを、従来構成として列挙している点、
　
（２）色変換フィルタを用いる場合、当該フィルタに起因する凹凸を緩和する（すなわち平坦化）ために保護層を要することも、従来周知の構成として挙げられている点
　
さらに、記載事項オと引用例２の図１２（ｂ）から、
（３）各構成要素の配置関係として、色変換フィルタ（及び保護層）は、表示面側透明基板１０１（本願補正発明の「第２基板」に対応するもの）の下部に配置され、また、陽極１０４（本願補正発明の「第１電極」に対応するもの）は、前記色変換フィルタの下部に配置される点
　
がそれぞれ開示されている。
　
３．対比
　
　本願補正発明と引用発明とを対比する。
　
（１）引用発明の「赤、緑及び青の３画素を一つのフルカラー表示単位とし、互いに張り合わされた前面ガラス基板２と裏面用ガラス基板１０２において、」と、本願補正発明の「赤、緑、青サブピクセルで構成されるピクセルが定義され、互いに接するように配置された第１基板及び第２基板において、」とを対比すると、
　
ア　引用発明の「フルカラー表示単位」は「赤、緑及び青の３画素」で構成される表示単位であるから、本願補正発明の「ピクセル」に相当し、同様に、引用発明の「画素」は、本願補正発明の「サブピクセル」に相当すると言える。したがって、引用発明の「赤、緑及び青の３画素を一つのフルカラー表示単位とし、」は、本願補正発明の「赤、緑、青サブピクセルで構成されるピクセルが定義され、」に相当する。
　
イ　また、引用発明の「張り合わされた」、「前面ガラス基板２」及び「裏面用ガラス基板１０２」は、それぞれ本願補正発明の「接するように配置」、「第２基板」及び「第１基板」に相当するものである。
　
以上ア、イから、両者は相当関係にある。
　
（２）引用発明の「前記裏面用ガラス１０２に、画素ひとつひとつに独立した第２表示電極９に対応して作り込まれたＴＦＴ及びコンデンサなどからなる、複数の非線形素子１０１が、データ信号ライン及び走査信号ラインと共に形成されてなり、」と、本願補正発明の「前記第１基板上にサブピクセル単位で形成された複数個のスイッチング素子を含むアレー素子と、」とを対比すると、
　
ア　引用発明の「裏面用ガラス１０２」及び「画素」は、本願補正発明の「第１基板」及び「サブピクセル」にそれぞれ相当する（上記３．（１）参照）。
　
イ　引用発明の「ＴＦＴ」が、スイッチング素子であることは技術常識であり、また、引用発明の「画素ひとつひとつに独立した第２表示電極９に対応して作り込まれた、ＴＦＴ及びコンデンサなどからなる複数の非線形素子１０１が、データ信号ライン及び走査信号ラインと共に形成されてなり、」とは、データ信号ライン及び走査信号ライン上に複数の非線形素子が並置接続されるというアレ−形状の素子であることを意味することは、記載事項エ及び図１３から、当業者にとって自明なことである。
したがって、引用発明の「画素ひとつひとつに独立した第２表示電極９に対応して作り込まれたＴＦＴ及びコンデンサなどからなる、複数の非線形素子１０１が、データ信号ライン及び走査信号ラインと共に形成され」たものは、「サブピクセル単位で形成された複数個のスイッチング素子を含むアレー素子」に相当する。
　
以上ア、イから、両者は相当関係にある。
　
（３）引用発明の「白色光をＲＧＢに変換させるＲＧＢフィルター」と本願補正発明の「前記第２基板下部に配置され、青色光を赤、緑、青三原色に変換させる赤、緑、青の色変換層を有する色変換部」を対比すると、両者は、「単色光を赤、緑、青三原色に変換させる色変換部」である点一致する。
　
（４）引用発明の「前記前面ガラス基板２上部に形成された導電性透光膜からなる第１表示電極３と、」と、
　本願補正発明の「前記第２基板下部に配置され、青色光を赤、緑、青三原色に変換させる赤、緑、青の色変換層を有する色変換部と、
　前記色変換部下部に配置し、光透過性を有する導電性物質からなる第１電極と、」とを対比すると、
　
ア　引用発明の「前記前面ガラス基板２上部に形成された」は、本願補正発明の「第２基板下部に配置され」に相当する。
（なおここで、引用発明及び本願補正発明それぞれの「上部」及び「下部」の対応関係（引用発明と本願補正発明で上下関係が逆転している点）については（引用例１の【図１３】及び本願の図面【図５】における、引用発明及び本願補正発明のそれぞれの素子構造の描出から明らかなように）、各々の明細書及び図面で、互いに上下逆に描かれていることを前提として解釈する。以下の対比考察における「上部」「下部」の対応関係（位置の上下逆転関係）についても、同様に解釈するものである。）
　
イ　本願補正発明の「色変換部」は、「第２基板下部に配置され」るものであるから、本願補正発明の「色変換部下部に配置」とは、「第２基板下部に配置」でもあると言える。
　
ウ　引用発明の「導電性透光膜」及び「第１表示電極３」は本願補正発明の「光透過性を有する導電性物質」及び「第１電極」にそれぞれ相当する。
　したがって、「導電性透光膜からなる第１表示電極３」と「光透過性を有する導電性物質からなる第１電極」は相当関係にある。
　
　以上ア〜ウより、両者は、
　「前記第２基板下部に配置し、光透過性を有する導電性物質からなる第１電極と、」である点で一致する。
　
（５）引用発明の「前記第１表示電極３上部に配置された白色の有機ＥＬ発光層８と、」と、本願補正発明の「前記第１電極下部に配置された、青色発光層を有する有機電界発光層と、」とを対比すると、
　引用発明の「第１表示電極３」及び「第１表示電極３上部」は、本願補正発明の「第１電極」及び「第１電極下部」にそれぞれ相当し、また、引用発明の「白色の有機ＥＬ発光層８」と「青色発光層を有する有機電界発光層」とは「単色発光層を有する有機電界発光層」である点で一致するから、両者は、「前記第１電極下部に配置された、単色発光層を有する有機電界発光層と、」である点で一致する。
　
（６）引用発明の「前記有機ＥＬ発光層８の上部に、画素単位で成膜された第２表示電極９と、」と、本願補正発明の「前記有機電界発光層下部にサブピクセル単位でパターン化された第２電極と、」とを対比すると、
　引用発明の「有機ＥＬ発光層８」、「有機ＥＬ発光層８の上部」、「画素単位」、「成膜された」及び「第２表示電極９」はそれぞれ、本願補正発明の「有機電界発光層」、「有機電界発光層下部」、「サブピクセル単位」、「パターン化された」及び「第２電極」に相当するものである。
　
　したがって、両者は相当関係にある。
　
（７）引用発明の「前記非線形素子１０１及び第２表示電極９が対向する位置に配置され、前記非線形素子１０１及び第２表示電極９を電気的に導通する異方導電性接着剤１０３とを含み、」と、本願補正発明の「前記スイッチング素子及び第２電極が対応する位置に形成され、前記スイッチング素子及び第２電極を電気的に連結させる電気的コネクタとを含み、」とを対比すると、
　
ア　引用発明の「非線形素子１０１」は、上記３．（２）イで述べたとおり、ＴＦＴ（スイッチング素子）を含むものであり、また、引用発明の「第２表示電極９」及び「対向する位置に配置」は、本願補正発明の「第２電極」及び「対応する位置に形成」にそれぞれ相当するので、
引用発明の「前記非線形素子１０１及び第２表示電極９が対向する位置に配置され、」は、本願補正発明の「前記スイッチング素子及び第２電極が対応する位置に形成され、」に相当する。
イ　さらに、引用発明の「電気的に導通する異方導電性接着剤１０３」は本願補正発明の「電気的に連結させる電気的コネクタ」に相当するので、引用発明の「前記非線形素子１０１及び第２表示電極９を電気的に導通する異方導電性接着剤１０３とを含み、」は、本願補正発明の「前記スイッチング素子及び第２電極を電気的に連結させる電気的コネクタとを含み、」に相当する。
　
　以上ア、イから両者は相当関係にある。
　
（８）引用発明の「前記ＲＧＢのフィルタと組み合わせた有機ＥＬディスプレイパネル。」と、本願補正発明の「前記色変換部は、前記青色発光層からの青色光を三原色に変換させる色変換層に加え、赤、緑及び青のカラーフィルタを含み、該カラーフィルタと該色変換層とがこの順に積層された積層構造を有し、前記平坦化層が多層構造であることを特徴とする有機電界発光素子。」とを対比すると、引用発明の「ＲＧＢのフィルター」及び「有機ＥＬディスプレイパネル」は、本願補正発明の「赤、緑及び青のカラーフィルタ」及び「有機電界発光素子」にそれぞれ相当するから、両者は「前記色変換部は、単色発光層からの単色光を三原色に変換させる色変換部である有機電界発光素子」である点で一致する。
　
以上（１）〜（８）の対比考察から、本願補正発明と引用発明とは、
　
「赤、緑、青サブピクセルで構成されるピクセルが定義され、互いに接するように配置された第１基板及び第２基板において、
　前記第１基板上にサブピクセル単位で形成された複数個のスイッチング素子を含むアレー素子と、
　単色光を赤、緑、青三原色に変換させる色変換部と、
　前記第２基板下部に配置し、光透過性を有する導電性物質からなる第１電極と、
　前記第１電極下部に配置された、単色発光層を有する有機電界発光層と、
　前記有機電界発光層下部にサブピクセル単位でパターン化された第２電極と、
　前記スイッチング素子及び第２電極が対応する位置に形成され、前記スイッチング素子及び第２電極を電気的に連結させる電気的コネクタとを含み、
　前記色変換部は、単色発光層からの単色光を三原色に変換させる色変換部である、
有機電界発光素子。」である点で一致し、以下の点で相違する。
　
相違点１
　
　単色光を赤、緑、青三原色に変換させる色変換部が、本願補正発明では「前記第２基板下部に配置され、青色光を赤、緑、青三原色に変換させる赤、緑、青の色変換層を有する色変換部」であるのに対し、引用発明では、「白色光をＲＧＢに変換させるＲＧＢフィルター」である点。
　
相違点２
　
　第１電極下部に配置された、単色発光層を有する有機電界発光層の発光色が、本願補正発明では、「青色」であるのに対し、引用発明では「白色」である点。
　
相違点３
　
　本願補正発明では、「前記色変換部と前記第１電極との間に配置された平坦化層」を有し、かつ「前記平坦化層が多層構造である」のに対し、引用発明では、その旨の記載はない点。
　
相違点４
　
　「単色発光層からの単色光を三原色に変換させる色変換部」が、本願補正発明では「前記青色発光層からの青色光を三原色に変換させる色変換層に加え、赤、緑及び青のカラーフィルタを含み、該カラーフィルタと該色変換層とがこの順に積層された積層構造を有」するものであるのに対し、引用発明では「ＲＧＢのフィルター」である点。
　
４．当審の判断
　
　前記相違点１及び２、３、並びに４について、それぞれ検討する。
　
（１）　相違点１及び２について 
　
　有機ＥＬのフルカラーディスプレイのカラー化表示技術として、
　
ア　３原色それぞれの発光色をもつ発光層を塗り分けて、３原色の画素を形成するもの（記載事項イ（引用例１））、
　
イ　白色光の有機発光層と３原色のカラーフィルタを組み合わせたもの（記載事項イ（引用例１）、記載事項オ（引用例２））、
　
ウ　青色光の有機発光層と、同青色光をエネルギー変換により赤色、緑色にそれぞれ色変換する色変換層とを組み合わせたもの（記載事項オ（引用例２））、
　はそれぞれ従来周知の技術であり、有機ＥＬのフルカラー表示としてこれらの内、何れを採用するかは当業者が適宜選択する程度の、単なる設計的事項である。
　さらに、カラーフィルタ層や色変換（エネルギー変換）層の配置として、表示側基板と表示側電極との間に配する点も、従来周知の構成である（記載事項オ及び引用例２の図１２等を参照のこと）。
　
　したがって、フルカラー化技術として、引用発明の白色光の有機発光層と３原色のカラーフィルタを組み合わせたものに換えて、従来周知の青色光の有機発光層と、同青色光をエネルギー変換により赤色、緑色にそれぞれ色変換する色変換層とを組み合わせたものに置き換えること、及び、その際の色変換層の配置を、従来周知の表示側基板と表示側電極との間とすることは、当業者であれば適宜選択・採用する程度の設計的事項にすぎない。
　
（２）　相違点３について
　
　また、上記４．（１）のア及びイの構成のように、カラーフィルタ層や色変換層を有する場合は、有機ＥＬ素子製造の際、これらの層に起因する表面の凹凸を平坦化するため、保護層（平坦化層）を用いることも従来周知の技術である（記載事項オ）。
　そして、その平坦化層の構造として、多層構造を持つものも従来周知のものである（例えば、本願の優先権主張日前に頒布された刊行物である特開平１１−２６１５６号公報の記載（「【００１３】・・・この構成は前記構成Ａに加えて、
色変換層２を平坦化層８が被覆した構成
前述の外部からの水分や酸素を遮断して、装置の保存安定性を向上できることに加えて、色変換層２上の凹凸を平坦化し、
・・・
【００３７】
平坦化層
多層に構成されていてもよい。
　
　したがって、フルカラー技術の手法として、引用発明のようにカラーフィルタ層を用いる場合や、（引用発明の）カラーフィルタに置き換えて色変換層を用いる場合に、上記の従来周知の多層構造の保護（平坦化）層を採用することも、当業者にとって単なる従来周知の技術を付加したものにすぎない。
　
（３）　相違点４について
　
　さらに、フルカラー化技術として、青色光の有機発光層と、同青色光をエネルギー変換により赤色、緑色にそれぞれ色変換する色変換層とを組み合わせたものを採用する場合、発光色の色純度を高める等の理由から、
　
エ　青色発光部にも、青色色変換（エネルギー変換）層を持つようにすること（例えば、本願の優先権主張日前に頒布された刊行物である特開２００２−７５６３６号公報の記載（「【００２４】まず、光透過性の基板６２上に色変換層６３をパターニングして形成する。
この色変換層６３は、入射する青色光を赤色光に変換する色変換層６３ａと、入射する青色光を緑色光に変換する色変換層６３ｂと、青色純度補正用の色変換層６３ｃとから構成されている。
　
オ　発光層からの青色光を三原色に変換させる色変換層のさらに光出射側に、赤、緑及び青のカラーフィルタを積層すること（例えば、本願の優先権主張日前に頒布された刊行物である特開２００１−２９１５９２号公報の記載（「【００２７】なお、発光層３０９に蛍光物質を添加して発光中心を蛍光物質に移しても良い。また、
カラー発色をさせる場合には
青色発光の発光層に色変換層（ＣＣＭ）とカラーフィルターを組み合わせても良い。
　
　したがって、引用発明のフルカラー化技術の構成としてカラーフィルタに換えて、青色光の有機発光層と同青色光をエネルギー変換により赤色、緑色にそれぞれ色変換する色変換層とを組み合わせたものに置換する場合（上記４．（１）参照）に、これに付随して、上記従来周知のエ、オの構成を採ることも、当業者にとって適宜採用する程度の事項にすぎない。
　
　以上（１）〜（３）をまとめれば、引用発明のフルカラー化技術の構成（白色光の有機発光層と３原色のカラーフィルタを組み合わせたもの）を、他の従来周知のフルカラー化技術の構成（青色光の有機発光層と、同青色光をエネルギー変換により赤色、緑色にそれぞれ色変換する色変換層とを組み合わせたもの）に置き換えることは、当業者にとって設計的事項にすぎず、またその際、（表示側基板と表示側電極との間に）平坦化層（多層構造のものも含めて）を備えること、青色発光部にも青色色変換（エネルギー変換）層を持つようにすること、及び色変換層のさらに光出射側に、赤、緑及び青のカラーフィルタを積層することも、上記フルカラー化構成の置換に付随して、当業者が適宜採用する程度のものすぎない。
　
　また、本願補正発明によってもたらされる効果は引用例１及び２の記載及び周知の事項から当業者が予測し得る範囲内のものである。　
　
まとめ
　
　よって、本願補正発明は、引用例１及び２に記載された発明及び周知の事項に基づいて、当業者が容易に発明をすることができたものである。　
　
５．本件補正についての結び
　
　以上のとおり、本願補正発明は、特許法第２９条２項の規定により、特許出願の際独立して特許を受けることができないものであるから、本件補正は、平成１８年法改正前特許法第１７条の２第５項において準用する同法第１２６条第５項の規定に違反するので、同法１５９条第１項において読み替えて準用する同法第５３条第１項の規定により却下すべきものである。
　
第３　本願発明について
　
１．本願発明
　
　平成２０年３月１８日付けの手続補正は上記の通り却下されたので、本願の発明は、本願の平成１９年８月６日付けで手続補正された明細書及び図面の記載からみて、特許請求の範囲の請求項１乃至１７に記載された事項により特定されるものであるところ、請求項１に係る発明（以下、「本願発明」という。）は、以下のとおりである。　
「【特許請求の範囲】
【請求項１】
　赤、緑、青サブピクセルで構成されるピクセルが定義され、互いに接するように配置された第１基板及び第２基板において、
　前記第１基板上にサブピクセル単位で形成された複数個のスイッチング素子を含むアレー素子と、
　前記第２基板下部に配置され、青色光を赤、緑、青三原色に変換させる赤、緑、青の色変換層を有する色変換部と、
　前記色変換部下部に配置し、光透過性を有する導電性物質からなる第１電極と、
　前記第１電極下部に配置された、青色発光層を有する有機電界発光層と、
　前記有機電界発光層下部にサブピクセル単位でパターン化された第２電極と、
　前記スイッチング素子及び第２電極が対応する位置に形成され、前記スイッチング素子及び第２電極を電気的に連結させる電気的コネクタとを含み、
　前記色変換部は、前記青色発光層からの青色光を三原色に変換させる色変換層に加え、赤、緑及び青のカラーフィルタを含み、該カラーフィルタと該色変換層とがこの順に積層された積層構造を有することを特徴とする有機電界発光素子。」
　
２．引用例
　
　原査定の拒絶の理由に引用された引用例１、２及びその記載事項は、前記「第２　２．引用例」において、「引用例１」、「引用例２」に関し、記載したとおりである。
　
３．対比・判断
　
　本願発明は、上記「第２　３．対比及び４．当審の判断」で検討した本願補正発明から、本件補正前の請求項１に、本件補正前の請求項１２の構成の付加、及び本件補正前の請求項１２の「平坦化層」の構造を「多層構造」とするに限定を省いたものである。
　　
　そうすると、本願発明の発明特定事項を全て含み、更に他の発明特定事項を付加及び限定したものに相当する本願補正発明が、前記「第２　４．当審の判断」で記載したとおり、引用例１、２に記載された発明及び周知の事項に基いて、当業者が容易に発明をすることができたものであるから、本願発明も同様の理由により、当業者が容易に発明をすることができたものである。　
　
４．むすび
　
　以上のとおり、本願発明は、原査定の拒絶の理由に引用された引用例１及び２に記載された発明、及び周知の事項に基づいて、当業者が容易に発明をすることができたものであるので、特許法第２９条２項の規定により特許を受けることができないものである。
　したがって、その余の請求項について論及するまでもなく、本願は、拒絶すべきものである。
　
　よって結論のとおり審決する。